(57)【要約】【課題】積載面の面積を簡便に拡張できる上に充分な強度を有する平パレット積載面積拡張材およびパレットユニットを提供することを目的とする。【解決手段】本発明の平パレット積載面積拡張材２０は、平パレット１０の上部に着脱可能に取り付けられて使用され、平パレット１０の上面よりも面積が大きい平板状かつ矩形状の積載部２１と、積載部２１の平パレット１０からはみ出る部分２１ａの下側の少なくとも一部に設けられた支持部２２とを有し、支持部２２は、平パレット１０の側面１０ａに接触または近接対向する面２２ａを備える。本発明のパレットユニット１は、平パレット１０と、上記平パレット積載面積拡張材２０とを備える。【選択図】図１
2011126590.tif 000002
【特許請求の範囲】
【請求項１】
平パレットの上部に着脱可能に取り付けられて使用される平パレット積載面積拡張材であって、
平パレットの上面よりも面積が大きい平板状かつ矩形状の積載部と、該積載部の平パレットからはみ出る部分の下側の少なくとも一部に設けられた支持部とを有し、該支持部は、平パレットの側面に接触または近接対向する面を備えることを特徴とする平パレット積載面積拡張材。
【請求項２】
支持部は、積載部の下面の、一辺側の周縁の少なくとも一部と、前記一辺に対向する他の一辺側の周縁の少なくとも一部とに配置されている請求項１に記載の平パレット積載面積拡張材。
【請求項３】
段ボールにより形成されている請求項１または２に記載の平パレット積載面積拡張材。
【請求項４】
積載部の平パレットからはみ出る部分の幅が１０〜３００ｍｍである請求項１〜３のいずれかに記載の平パレット積載面積拡張材。
【請求項５】
平パレットと、請求項１〜４のいずれかに記載の平パレット積載面積拡張材とを備えることを特徴とするパレットユニット。
【発明の詳細な説明】
【技術分野】
【０００１】
本発明は、平パレットの上部に取り付けられて使用される平パレット積載面積拡張材に関する。また、紙製品等の各種荷物を輸送または保管する際に使用されるパレットユニットに関する。
【背景技術】
【０００２】
一般に、紙製品等の各種荷物は、フォークリフトによるトラック等への積み卸ろしを可能にするために、輸送時および保管時にはパレットに載せられている。通常、パレットとしては荷物の大きさに応じたものが使用されるが、紙製品においては様々な寸法のものが知られている。例えば、枚葉紙のサイズとしては、例えば、Ｌ判（８００ｍｍ×１１００ｍｍ）、Ｋ判（６４０ｍｍ×９４０ｍｍ）、Ｍ判（７３０ｍｍ×１０００ｍｍ）、Ｆ判（６５０ｍｍ×７８０ｍｍ）、Ｓ判（８２０ｍｍ×７３０ｍｍ）、Ｙ判（６１０ｍｍ×１０６０ｍｍ）、Ｃ判（６１０ｍｍ×９７０ｍｍ）、Ｏ判（５６０ｍｍ×６４０ｍｍ）、Ａ列本判（６２５ｍｍ×８８０ｍｍ）、Ｂ列本判（７６５ｍｍ×１０８５ｍｍ）、Ａ列小判（６０８ｍｍ×８５６ｍｍ）、四六判（７８８ｍｍ×１０９１ｍｍ）、菊判（６３６ｍｍ×９３９ｍｍ）、地券判（５９１ｍｍ×７５８ｍｍ）、三々判（６９７ｍｍ×１０００ｍｍ）などがある。
このように紙製品の寸法は様々であるため、紙製品用のパレットは種類が多くなっていた。パレットの種類が多いと、パレット保管用のスペースを広くしなければならないが、工場や倉庫の敷地面積には制限があるため、パレット保管用のスペースの削減が要求されていた。
パレットの種類を削減するものとして、特許文献１，２に、荷物を積載する面（以下、「積載面」という。）の大きさを任意に変更できる組立型パレットが開示されている。すなわち、特許文献１には、上面デッキ部と下面デッキ部と桁部とを有する２つの部材から構成され、一方の部材の桁部の側面に嵌合用の凸部が設けられ、他方の部材の桁部の側面に嵌合用の凹部が設けられた組立型パレットが開示されている。特許文献２には、パレットの本体部と、積載面の面積を拡張するための付属部とから構成され、本体部に嵌合用の凹部が設けられ、付属部に嵌合用の凸部が設けられた組立型パレットが開示されている。
特許文献１，２の組立型パレットでは、嵌合用の凸部と凹部とを嵌合することによって、パレットの大きさを変更できるようになっている。したがって、荷物の大きさに合わせてパレットの大きさを変更できるため、パレットの種類を削減できる。
【先行技術文献】
【特許文献】
【０００３】
【特許文献１】特開２００３−２６７３７０号公報
【特許文献２】特開２００９−２２０８９０号公報
【発明の概要】
【発明が解決しようとする課題】
【０００４】
しかしながら、特許文献１，２に記載の組立型パレットは、積載面の大きさを変更する際の組み立てが複雑である上に、嵌合した部分にて強度が低くなるという問題を有していた。
そこで、本発明は、積載面の面積を簡便に拡張できる上に充分な強度を有する平パレット積載面積拡張材およびパレットユニットを提供することを目的とする。
【課題を解決するための手段】
【０００５】
本発明は、以下の態様を有する。
［１］  平パレットの上部に着脱可能に取り付けられて使用される平パレット積載面積拡張材であって、
平パレットの上面よりも面積が大きい平板状かつ矩形状の積載部と、該積載部の平パレットからはみ出る部分の下側の少なくとも一部に設けられた支持部とを有し、該支持部は、平パレットの側面に接触または近接対向する面を備えることを特徴とする平パレット積載面積拡張材。
［２］  支持部は、積載部の下面の、一辺側の周縁の少なくとも一部と、前記一辺に対向する他の一辺側の周縁の少なくとも一部とに配置されている［１］に記載の平パレット積載面積拡張材。
［３］  段ボールにより形成されている［１］または［２］に記載の平パレット積載面積拡張材。
［４］  積載部の平パレットからはみ出る部分の幅が１０〜３００ｍｍである［１］〜［３］のいずれかに記載の平パレット積載面積拡張材。
［５］  平パレットと、［１］〜［４］のいずれかに記載の平パレット積載面積拡張材とを備えることを特徴とするパレットユニット。
【発明の効果】
【０００６】
本発明の平パレット積載面積拡張材によれば、平パレットにおける積載面の面積を簡便に拡張できる上に充分な強度を有する。
本発明のパレットユニットは、積載面の面積が拡張されている上に、充分な強度を有する。
【図面の簡単な説明】
【０００７】
【図１】本発明のパレットユニットの一実施形態を示す斜視図である。
【図２】図１のパレットユニットを構成する平パレットを示す斜視図である。
【図３】本発明の平パレット積載面積拡張材の一実施形態を示す斜視図である。
【図４】図３に示す平パレット積載面積拡張材の下面を示す図である。
【図５】図１のパレットユニットにおいて、積載部に荷物固定部を設けた一例を示す斜視図である。
【図６】図１のパレットユニットにおいて、積載部に荷物固定部を設けた他の例を示す斜視図である。
【図７】本発明の平パレット積載面積拡張材およびパレットユニットの他の実施形態を示す斜視図である。
【図８】本発明の平パレット積載面積拡張材の他の実施形態のはみ出し部を示す図である。
【図９】本発明の平パレット積載面積拡張材の他の実施形態のはみ出し部を示す図である。
【図１０】本発明の平パレット積載面積拡張材の他の実施形態のはみ出し部を示す図である。
【図１１】本発明の平パレット積載面積拡張材の他の実施形態のはみ出し部を示す図である。
【図１２】本発明の平パレット積載面積拡張材の他の実施形態のはみ出し部を示す図である。
【図１３】本発明の平パレット積載面積拡張材の他の実施形態のはみ出し部を示す図である。
【発明を実施するための形態】
【０００８】
＜パレットユニット＞
本発明のパレットユニットの一実施形態について説明する。
図１に、本実施形態のパレットユニットを示す。本実施形態のパレットユニット１は、平パレット１０と、平パレット１０の上部に着脱可能に設けられた平パレット積載面積拡張材２０とを備える。
本実施形態におけるパレットユニット１においては、平パレット積載面積拡張材２０は、支持部２２，２２の間に平パレット１０が位置するように配置されている。このように配置された状態では、支持部２２の側面２２ａは平パレット１０の側面１０ａに接触または近接対向している。
【０００９】
（平パレット）
平パレットは、ＪＩＳ  Ｚ０１０６（パレット用語）の「３．用語及び定義」の（２）に記載された「上部構造物のないフォークなどの差込口を持つパレット」である。
本実施形態で使用される平パレット１０は、平パレット積載面積拡張材２０が載せられる上面デッキ部１１と、上面デッキ部１１の下面１１ａに取り付けられた３本の桁部１２，１２，１２とを有する単面形二方差しパレットである。
【００１０】
本実施形態における上面デッキ部１１は、図２に示すように、複数枚の矩形状平板１１ｂ，１１ｂ・・・が一定の間隔で平行に配置されて、全体として矩形の積載面１１ｃが形成されている。上面デッキ部１１においては、矩形状平板１１ｂの長手方向と上面デッキ部１１の長手方向が同一方向になっている。
【００１１】
各桁部１２は、上面デッキ部１１の幅方向と平行に配置されている。上面デッキ部１１の下側に桁部１２が上面デッキ部１１の幅方向と平行に設けられることにより、上面デッキ部１１の下側に幅方向に沿った空間Ｄが形成される。この空間Ｄにより、フォークリフトのフォーク部を、上面デッキ部１１の下側の幅方向と平行に差し込めるようになっている。
【００１２】
平パレット１０の上面デッキ部１１および桁部１２の材質としては、例えば、木材、プラスチック、金属、紙などが挙げられ、軽量で高強度である点では、木材、プラスチックが好ましい。
上面デッキ部１１と桁部１２の材質は同じであってもよいし、異なってもよい。
【００１３】
（平パレット積載面積拡張材）
本実施形態の平パレット積載面積拡張材２０は、図３，４に示すように、平パレット１０の積載面１１ｃよりも面積が大きい平板状かつ矩形状の積載部２１と、積載部２１の平パレット１０からはみ出る部分２１ａの下面２１ｂの全面に設けられた支持部２２とを有する。
以下、「積載部２１の平パレット１０からはみ出る部分２１ａ」のことを「はみ出し部２１ａ」という。
【００１４】
［積載部］
積載部２１は、荷物が積載される部分である。本実施形態で使用される積載部２１は、平パレット１０の長手方向の両側からはみ出る大きさの矩形状にされている。
【００１５】
［支持部］
支持部２２は、積載部２１に荷物が載せられた際にはみ出し部２１ａを支持する部分である。
本実施形態で使用される支持部２２は、積載部２１の幅方向の長さと同じ長さの四角柱体であって、図４に示すように、積載部２１の下面２１ｂの、幅方向の一辺（第１の辺２１ｃ）側の周縁と、第１の辺２１ｃに対向する他の一辺（第２の辺２１ｄ）側の周縁とに配置されている。このように配置された支持部２２では、平パレット１０の側面１０ａに接触または近接対向する側面２２ａを備える。
支持部２２は積載部２１に、例えば接着剤を用いて取り付けられている。
【００１６】
［材質］
平パレット積載面積拡張材２０の材質としては、例えば、紙、木材、アルミニウムなどを用いることができるが、軽量で作業性に優れることから、紙、木材が好ましく、より軽量であることから、紙がより好ましい。また、平パレット積載面積拡張材２０の材質が紙であると、衝撃緩和性が高く、運搬時の荷物の損傷を防止できる。また、紙は再パルプ化により容易にリサイクルできる。
紙の中でも、剛性が高いことから、板紙、段ボールが好ましく、段ボールがより好ましい。板紙としては、例えば、強化板紙（例えば、シュレッダーされた古紙を上下板紙により挟持した板紙等）を用いることができ、段ボールとしては、例えば、２層強化段ボールまたは３層強化段ボールを用いることができる。
積載部２１および支持部２２の材質は同じであってもよいし、異なってもよい。
平パレット積載面積拡張材２０全体が段ボール製である場合、例えば、積載部２１としては、１枚〜３枚の段ボールからなるものが挙げられる。また、支持部２２としては、例えば、２〜８枚の段ボールを積層し、糊付けにより接着したものが挙げられる。
【００１７】
（使用方法）
パレットユニット１の使用方法の一例について説明する。
本例では、荷物を出荷する出荷元の工場または倉庫にて、平パレット１０に、荷物の大きさに応じた積載部２１を有する平パレット積載面積拡張材２０を取り付けて、パレットユニット１を得る。このパレットユニット１の積載部２１に荷物を積載し、フォークリフトを利用して、荷物が積載されたパレットユニット１をトラック、船舶、貨車等の輸送手段に積み込む。
輸送手段により輸送した後、出荷先にて、フォークリフトを利用して、荷物が積載されたパレットユニット１を輸送手段から降ろす。荷物をパレットユニット１から降ろした後、平パレット１０から平パレット積載面積拡張材２０を取り外す。
平パレット１０は平パレット積載面積拡張材２０によって保護されているため、損傷が防止されており、繰り返しの再使用が可能になっている。平パレット積載面積拡張材２０については損傷が少なく使用可能な状態であれば再使用されるが、損傷が激しく、使用不能な状態である場合には、廃棄またはリサイクルされる。平パレット積載面積拡張材２０が紙製である場合には、容易にリサイクルできることから、使用不能になった際にはリサイクル工程に送ることが好ましい。リサイクルされたパルプを用いて、再び平パレット積載面積拡張材２０を作製してもよい。
【００１８】
パレットユニット１を用いて輸送または保管される荷物としては、紙製品（例えば枚葉紙、ロール紙等）、段ボール箱、ドラム缶などが挙げられる。
紙製品の中でも、枚葉紙は様々な形状のものがあるため、パレットユニット１の面積拡張の効果がとりわけ発揮できる。そのため、パレットユニット１は荷物が枚葉紙である場合に好適である。
【００１９】
（作用効果）
本実施形態では、平パレット積載面積拡張材２０が平パレット１０に取り付けられていることで、積載面の面積が拡張されている。この積載面の拡張は、平パレット１０に平パレット積載面積拡張材２０を取り付けるだけであるから、簡便である。
これにより、１種の平パレット１０に対して、積載面の面積が異なる多数の平パレット積載面積拡張材２０を用意しておくことにより、様々な寸法の荷物に容易に対応することができる。すなわち、平パレット１０に取り付ける平パレット積載面積拡張材２０の種類を変更することによって、積載面の面積を荷物の大きさに容易に合わせることができる。さらに、多様な大きさの荷物に対応しつつも、平パレット１０を共通に使用できるため、平パレット１０の数を減らすことができ、パレット保管用のスペースを削減できる。
しかも、パレットユニット１では、平パレット積載面積拡張材２０が損傷した際には簡単に新品の平パレット積載面積拡張材２０に交換できる。
また、積載部２１の下面２１ｂに取り付けられた支持部２２が平パレット１０の側面１０ａに接触している場合には、はみ出し部２１ａの上に荷物が載せられた際にはみ出し部２１ａにかかる力が支持部２２を介して平パレット１０の側面１０ａにかかるようになる。このとき、平パレット１０の側面１０ａから反作用の力が生じるため、はみ出し部２１ａが支持部２２によって支持される。したがって、はみ出し部２１ａが下側に折れ曲がることが防止されている。特に本実施形態では、はみ出し部２１ａの下面２１ｂの全面に支持部２２が設けられているため、はみ出し部２１ａ全体の折れ曲がりが防止されており、より強度が高いものとなっている。
支持部２２の側面２２ａが平パレット１０の側面１０ａに近接対向している場合には、はみ出し部２１ａの上に荷物が載せられた際に、荷物の積載に支障が出ない程度にはみ出し部２１ａが僅かに撓んだ後に、支持部２２が平パレット１０の側面に当接する。そのため、支持部２２が平パレット１０の側面１０ａに接触している場合と同様に、はみ出し部２１ａが支持部２２によって支持されるため、荷物の積載に支障が生じる程に下側に折れることが防止されている。
【００２０】
（平パレット積載面積拡張材の好ましい形態）
平パレット積載面積拡張材２０の積載部２１の厚さＡは４〜８０ｍｍの範囲内であることが好ましく、８〜４０ｍｍの範囲内であることがより好ましい。積載部２１の厚さＡが４ｍｍ以上であれば、積載部２１の強度および衝撃緩和性を高めることができ、８０ｍｍ以下であれば、平パレット積載面積拡張材２０を保管するスペースを小さくできる。
はみ出し部２１ａの幅Ｂは１０〜３００ｍｍの範囲内であることが好ましく、２０〜１５０ｍｍであることがより好ましい。はみ出し部２１ａの幅Ｂが１０ｍｍ以上であれば、積載部２１の積載面の面積を実質的に拡張でき、３００ｍｍ以下であれば、はみ出し部２１ａがより折れ曲がりにくくなる。
【００２１】
支持部２２の厚さＣは５〜２５０ｍｍの範囲内であることが好ましく、１０〜１５０ｍｍの範囲内であることがより好ましく、１５〜１００ｍｍの範囲内であることが特に好ましい。支持部２２の厚さＣが５ｍｍ以上であれば、荷物が積載された際に、はみ出し部２１ａの折れ曲がりをより防止でき、２５０ｍｍ以下であれば、平パレット積載面積拡張材２０を平パレットに容易に取り付けることができる。
支持部２２とはみ出し部２１ａの合計の厚さは１０〜３００ｍｍの範囲内であることが好ましく、３０〜１５０ｍｍであることがより好ましい。支持部２２とはみ出し部２１ａの合計の厚さが１０ｍｍ以上であれば、荷物が積載された際にはみ出し部２１ａが折れにくく、３００ｍｍ以下であれば、平パレット積載面積拡張材２０を平パレットに容易に取り付けることができる。
【００２２】
はみ出し部２１ａの折れ曲がりを防止するという観点では、支持部２２の側面２２ａが平パレット１０の側面１０ａに接触する又はできるだけ近くに配置されるように、側面２２ａ，２２ａ間の長さを設定することが好ましい。側面２２ａが平パレット１０の側面１０ａから離れていると、はみ出し部２１ａが大きく撓まなければ、支持部２２の側面２２ａが平パレット１０の側面１０ａに接触しない。しかし、側面２２ａが平パレット１０の側面１０ａの近くに配置されていれば、はみ出し部２１ａが僅かに撓むだけで、支持部２２の側面２２ａが平パレット１０の側面１０ａに接触する。したがって、荷物の積載に支障が生じる程に下側に折れることを防止できる。なお、支持部２２の厚さＣが薄い程、支持部２２の側面２２ａが平パレット１０の側面１０ａの近くに配置されることが好ましい。支持部２２の側面２２ａが平パレット１０の側面１０ａの近くに配置されていれば、支持部２２の厚さＣが薄くても、はみ出し部２１ａの折れ曲がりをより防止できる。
一方、支持部２２の側面２２ａが平パレット１０の側面１０ａに接する程度に、側面２２ａ，２２ａ間を設定すると、平パレット積載面積拡張材２０の取り付けの際に正確な位置あわせが必要になる。すなわち、平パレット積載面積拡張材２０の取り付けを容易にするという観点では、支持部２２の側面２２ａは平パレット１０の側面１０ａからある程度離れていることが好ましい。
具体的に支持部２２の厚さＣが５０ｍｍの場合、はみ出し部２１ａの折れ曲がりを防止するという観点では、支持部２２の側面２２ａが平パレット１０の側面１０ａから好ましくは２０ｍｍ以下の距離に配置されるように、より好ましくは５ｍｍ以下の距離に配置されるように、さらに好ましくは平パレット１０の側面１０ａに接触するように、側面２２ａ，２２ａ間の長さを設定する。
【００２３】
（他の部材）
パレットユニット１において、平パレット積載面積拡張材２０の積載面には、積載部２１に載せる荷物が位置ずれしないように固定するための荷物固定部を設けてもよい。荷物固定部としては、例えば、図５に示すような、積載部２１の第１の辺２１ｃの周縁および第２の辺２１ｄの周縁にて上方に向かって突出した荷物固定部３０ａ、図６に示すような、ロール体の下部が嵌るような曲面状の凹部３１が形成された荷物固定部３０ｂなどが挙げられる。
【００２４】
＜他の実施形態＞
なお、本発明は上記実施形態に限定されない。
本発明の平パレット積載面積拡張材においては、支持部２２が、はみ出し部２１ａの幅方向（積載部２１の幅方向に対して垂直な方向）の一部に設けられていてもよいし、長さ方向（積載部２１の幅方向に対して平行な方向）の一部に設けられていてもよい。
例えば、図７に示すように、支持部２２が、はみ出し部２１ａの下面２１ｂの、平パレット１０側の部分に配置されていてもよい。
また、第１の辺２１ｃ側の周縁または第２の辺２１ｄ側の周縁において、支持部２２がはみ出し部２１ａの長さ方向の一端から他端に向かって断続的に配置されていてもよい。
また、第１の辺２１ｃ側の周縁または第２の辺２１ｄ側の周縁において、支持部２２がはみ出し部２１ａの長さ方向の中央付近に配置されていてもよい。
【００２５】
また、はみ出し部２１ａは、図８に示すように、積載部２１の下面２１ｂの、長さ方向の一辺（第３の辺２１ｅ）側の周縁と、第３の辺２１ｅに対向する他の一辺（第４の辺２１ｆ）側の周縁とに配置されていてもよい。
また、はみ出し部２１ａは、図９に示すように、積載部２１の下面２１ｂの第１の辺２１ｃ側の周縁と、第３の辺２１ｅ側の周縁とに配置されていてもよい。
また、はみ出し部２１ａは、図１０に示すように、積載部２１の下面２１ｂの第１の辺２１ｃ側の周縁と、第３の辺２１ｅ側の周縁と、第４の辺２１ｆ側の周縁とに配置されていてもよい。
また、はみ出し部２１ａは、図１１に示すように、積載部２１の下面２１ｂの第１の辺２１ｃ側の周縁と、第２の辺２１ｄ側の周縁と、第３の辺２１ｅ側の周縁と、第４の辺２１ｆ側の周縁とに配置されていてもよい。
また、はみ出し部２１ａは、図１２に示すように、積載部２１の下面２１ｂの、長さ方向の一方の端部側の周縁（第１の辺２１ｃ側の周縁または第２の辺２１ｄ側の周縁）に配置されていてもよい（図１２に示す例では、第１の辺２１ｃ側の周縁に配置されている。）。また、はみ出し部２１ａは、図１３に示すように、積載部２１の下面２１ｂの、幅方向の一方の端部側の周縁（第３の辺２１ｅ側の周縁または第４の辺２１ｆ側の周縁）に配置されていてもよい（図１３に示す例では、第３の辺２１ｅ側の周縁に配置されている。）。
はみ出し部２１ａが、図８〜１３に示す形態の場合にも、はみ出し部２１ａの折れ曲がりをより防止できることから、はみ出し部２１ａの全部に支持部２２が設けられていることが好ましい。
【００２６】
また、本発明では、平パレットとして、単面形二方差しパレット以外に、ＪＩＳ  Ｚ０１０６の「３．用語及び定義」の（３）に記載されているような、単面形四方差しパレット、桁くり抜きパレット、両面形二方差しパレット、単翼形パレット、複翼形パレット、オーバーラップパレット、ベリメーターベースパレット、十字形ベリメーターベースパレット等を用いることができる。
【符号の説明】
【００２７】
１  パレットユニット
１０  平パレット
１０ａ  側面
１１  上面デッキ部
１１ａ  下面
１１ｂ  矩形状平板
１１ｃ  積載面
１２  桁部
２０  平パレット積載面積拡張材
２１  積載部
２１ａ  はみ出し部
２１ｂ  下面
２１ｃ  第１の辺
２１ｄ  第２の辺
２１ｅ  第３の辺
２１ｆ  第４の辺
２２  支持部
２２ａ  側面
３０ａ，３０ｂ  荷物固定部
【図１】
2011126590.tif 000003
【図２】
2011126590.tif 000004
【図３】
2011126590.tif 000005
【図４】
2011126590.tif 000006
【図５】
2011126590.tif 000007
【図６】
2011126590.tif 000008
【図７】
2011126590.tif 000009
【図８】
2011126590.tif 000010
【図９】
2011126590.tif 000011
【図１０】
2011126590.tif 000012
【図１１】
2011126590.tif 000013
【図１２】
2011126590.tif 000014
【図１３】
2011126590.tif 000015